Podtech/llm-jp-corpus-v4-ja_patent huggingface dataset:
(57)【要約】【課題】磁場による鳥の回避行動を利用して鳥が防護ネットに近付かないようにし、結果としてゴミの集積所や養魚場における鳥害を防ぐ。【解決手段】２枚のシート材１の片面にそれぞれ挟持手段としての面ファスナ２を装着し、一方のシート材１の反対面には角型の永久磁石３を取り付ける。以上のような構成で、２枚のシート材１の間に防護ネットを挟み、５０ｃｍ間隔を目安に永久磁石３をタグ状に取り付ける。【選択図】　　　　図１
0003097428.tif 000002
【実用新案登録請求の範囲】
【請求項１】
ゴミの集積所や養魚場の防護ネットにタグ状に取り付けて鳥害を防ぐ防鳥具であって、
所定磁束密度の磁力線を発生する永久磁石と、
この永久磁石を取り付けて支持する支持体と、
この支持体で前記防護ネットを挟持する挟持手段と、
を備えることを特徴とする防鳥タグ。
【請求項２】
前記永久磁石を磁束密度８００〜５０００ガウスのフェライト磁石とする請求項１記載の防鳥タグ。
【請求項３】
前記支持体の組成材料をポリ塩化ビニル、ポリエチレンまたはポリプロピレンとする請求項１記載の防鳥タグ。
【請求項４】
前記挟持手段が面ファスナを接合して挟持するものである請求項１記載の防鳥タグ。
【請求項５】
前記挟持手段がホックの雌雄を嵌合して挟持するものである請求項１記載の防鳥タグ。
【請求項６】
前記挟持手段がバネを付勢して挟持するものである請求項１記載の防鳥タグ。
【考案の詳細な説明】
【０００１】
【考案の属する技術分野】
本考案は、ゴミの集積所や養魚場の防護ネットにタグ状に取り付けてカラスやカワウなどによる被害を防ぐ防鳥タグに関する。
【０００２】
【考案が解決しようとする課題】
ゴミの集積所や養魚場を防護ネットで覆うのは簡単にできて有効な鳥害対策の一つである。
防護ネットを使用する際は、対象となる鳥の種類に合わせて網目の大きさを選ぶ、隙間を作らない、ネットを対象物から十分に離す、たるませないことなどが大切である。
ところが、ゴミの場合は防護ネットを被せるだけなので、カラスなどが容易に中のゴミを掴んで引っ張り出すことができ、防護ネットだけでゴミの散乱などの被害を防ぐのは困難である。
また、養魚場の場合はカワウなどが脚などを使って簡単に防護ネットを破いてしまうので、防護ネットだけで魚の被害を防ぐのは困難である。
【０００３】
一方、鳥類は地磁気を感知して位置と方向を判断しているが、強い磁場のある場所では地磁気が乱れて方向感覚を失い、位置判断がつかなくなるので、磁場を感じない場所へ回避行動をとるといわれている。
そのため、強い磁場のある場所には近付かなくなる。
【０００４】
そこで本考案は、磁場による鳥の回避行動を利用して鳥が防護ネットに近付かないようにし、結果としてゴミの集積所や養魚場における鳥害を防ぐことを目的になされたものである。
【０００５】
【課題を解決するための手段】
かかる目的を達成するために、本考案は以下のように構成した。
【０００６】
すなわち、本考案の防鳥タグは、ゴミの集積所や養魚場の防護ネットにタグ状に取り付けて鳥害を防ぐ防鳥具であって、所定磁束密度の磁力線を発生する永久磁石と、この永久磁石を取り付けて支持する支持体と、この支持体で前記防護ネットを挟持する挟持手段を備えることにより上記目的が達成される。
【０００７】
また、好ましくは、前記永久磁石を磁束密度８００〜５０００ガウスのフェライト磁石とする。
【０００８】
また、好ましくは、前記支持体の組成材料をポリ塩化ビニル、ポリエチレンまたはポリプロピレンとする。
【０００９】
また、好ましくは、前記挟持手段が面ファスナを接合して挟持するものである。
【００１０】
また、好ましくは、前記挟持手段がホックの雌雄を嵌合して挟持するものである。
【００１１】
また、好ましくは、前記挟持手段がバネを付勢して挟持するものである。
【００１２】
【考案の実施の形態】
以下に図面を参照して本考案の実施の形態について説明する。
【００１３】
図１に、本考案を実施した防鳥タグの分解斜視図を示す。
防鳥タグは、２枚のシート材１の片面にそれぞれ挟持手段としての面ファスナ２を装着し、一方のシート材１の反対面には角型の永久磁石３を取り付ける構成である。
あるいは、図２に示すように、挟持手段として２枚のシート材１の両端に雌雄一対のホック４を装着してもよい。
あるいは、図３に示すように、２枚のシート材１の間にバネ５を挿入して洗濯バサミのように構成してもよい。
【００１４】
防鳥タグは、図４（ａ）（ｂ）に示すように、１枚のシート材１を折り返して挟持し、端部を面ファスナ２あるいはホック４で止める形にしてもよい。
この場合、２枚のシート材１を貼り合わせて挟持する場合に比べて取り付けが容易になり、片方のシート材１を紛失する虞もなくなる。
【００１５】
シート材１は、柔軟性、屈曲性、耐水性に優れるポリ塩化ビニル、ポリエチレン、ポリプロピレンなどの樹脂で形成する。
永久磁石３の取り付け面は、塩化ビニルを熱収縮させて張り付ける塩ビ被覆などの方法で防水加工する。
永久磁石３は、安定した磁気特性を有し、耐蝕性にも優れるフェライト磁石を用いる。
また、安全性を考慮して磁束密度８００〜５０００ガウスのものを使用し、ワレ易い欠点があるので、２５Ｌ×１０Ｗ×５Ｈ程度の小型のものを使用する。
また、角型に限らずリング型のフェライト磁石を用いてもよい。
【００１６】
本考案を実施した防鳥タグは以上のような構成で、図５に示すように、２枚のシート材１の間に防護ネット６を挟み、５０ｃｍ間隔を目安に永久磁石３をタグ状に取り付ける。
防護ネット６の網目が粗い場合は、図６に示すように、１枚のシート材１を折り返して防護ネット６の網糸に巻き付け、端部を面ファスナ２あるいはホック４で止めて取り付けてもよい。
あるいは、洗濯バサミのように防護ネット６の網糸を挟むようにして取り付けてもよい。
【００１７】
【考案の効果】
以上説明したように、本考案によれば、ゴミの集積所や養魚場の防護ネットにタグ状に取り付けて鳥の接近を阻止するので、カラスやカワウなどによる被害を容易に防ぐことができる。
また、永久磁石を使用するのでエネルギー源を必要とせず、長期間有効に機能し、１２００〜２０００ガウス程度の磁束密度なので鳥を傷つけたり、人体へ悪影響を与えたり、電波障害を起こす虞もない。
また、防護ネットを間に挟んで面ファスナやホック、バネなどを用いて止めるだけなので、取り付けが簡単にできる。
【図面の簡単な説明】
【図１】本考案を実施した防鳥タグの分解斜視図である。
【図２】ホック止め式の防鳥タグの分解斜視図である。
【図３】バネ止め式の防鳥タグの側面図である。
【図４】折り返し式の防鳥タグの斜視図である。
【図５】本考案を実施した防鳥タグの取り付け図である。
【図６】本考案を実施した防鳥タグの別の取り付け図である。
【符号の説明】
１　　　　　　　　シート材
２　　　　　　　　面ファスナ
３　　　　　　　　永久磁石
４　　　　　　　　ホック
５　　　　　　　　バネ
６　　　　　　　　防護ネット
【図１】
0003097428.tif 000003
【図２】
0003097428.tif 000004
【図３】
0003097428.tif 000005
【図４】
0003097428.tif 000006
【図５】
0003097428.tif 000007
【図６】
0003097428.tif 000008
(57)【要約】【課題】俳句や短歌などを嗜む方が愛用する小短冊を一つにまとめ、用途に合わせて分別しながら収納することにより携帯に便利かつ使用しやすいものとするとともにファッション的用途を付加する。【解決手段】句会などで作品を出し合う場合に利用する小短冊を、ばらばらにならないよう、一つのケースに収納できるようになっている。この収納部は両面にそれぞれあり、それぞれ長さが違う小短冊でも収納しやすいような構造になっており、用途にあわせて分別しながら収納することも可能である。小短冊の収納ケースとして、携帯に便利な大きさとし、両側への収納可能となり、ファッショナブルな要素を含むため、文具としての用途の拡大が期待できる。【選択図】　　　　図１
0003097426.tif 000002
【実用新案登録請求の範囲】
【請求項１】
複数の小短冊を収納できるポケット部を１ヶまたは複数設けることで、ばらばらになりやすい複数の小短冊を並立状に収納できるようにしたことを特徴とする小短冊収納ケース。
【考案の詳細な説明】
【０００１】
【考案の属する技術分野】
本考案は、複数の小短冊を収納することができる小短冊収納ケースに関するものである。
【０００２】
【従来の技術】
従来、小短冊を収納するケースは提案されておらず、複数の小短冊を携帯するには不便であるという問題があった。
【０００３】
【考案が解決しようとする課題】
本発明は、多数の小短冊を収納するだけではなく、用途別に分類をしながら複数箇所に分けて収納することができる小短冊収納ケースを提供することを目的とするものである。
【０００４】
【課題を解決するための手段】
本考案は、多数の小短冊をコンパクトに収納することができるだけではなく、用途別に分類をしながら複数箇所に分けて収納することができることを特徴とする小短冊収納ケースである。
【０００５】
【考案の実施の形態】
紙製である小短冊を収納するため、適度な硬さの芯を中に接着することで張りをもたせた素材で制作する。両面共に短冊を収納できるように１枚布を３つ折りにした状態で縫い合わされている。
【０００６】
【考案の効果】
以上説明したように本考案の小短冊収納ケースは、複数の短冊を数箇所に分別しながら収納することができ、携帯に便利である。
【図面の簡単な説明】
【図１】本考案の実施例の正面図を示す。
0003097426.tif 000003
【図２】本考案の実施例の背面図を示す。
0003097426.tif 000004
【図１】
0003097426.tif 000005
【図２】
0003097426.tif 000006
【手続補正書】
【提出日】平成15年6月24日(2003.6.24)
【手続補正１】
【補正対象書類名】明細書
【補正対象項目名】図面の簡単な説明
【補正方法】変更
【補正の内容】
【図面の簡単な説明】
【図１】本考案の正面図を示す。長方形部分と台形部分の間がポケットになっており、ここに小短冊を収納できるようになっている。
【図２】本考案の背面図を示す。長方形部分と台形部分の間がポケットになっており、ここに小短冊を収納できるようになっている。
(57)【要約】【課題】本考案は、ナイフブレードの改良構造を提案しており、肉厚部、肉薄部および刃先を設けられ、厚さが肉厚部より薄い肉薄部は、肉厚部に接続され、刃先は、肉厚部から離れた肉薄部の一方側縁に設けられ、これにより段差式のナイフブレードを形成されているもの。【解決手段】本考案は、ナイフブレードの改良構造を提案し、特に段差式のナイフブレードであり、この段差式構造は切断の際、排除効果を低減させ、ホルダーに一定の厚さを保持することで、現有の保持装置の更新を必要としておらず、経済ニーズに合わせ、その肉厚部と肉薄部の接続箇所に内部の窪み設計を施すことで、応力の起こす破断を減少させ、ナイフの寿命が長くなり、刃先表面と肉薄部表面に異なる文様の研磨処理を施し、へばりつき現象を回避し、切れ味と品質を向上させている。【選択図】　図２
0003097429.tif 000002
【実用新案登録請求の範囲】
【請求項１】
肉厚部、肉薄部および刃先を設けられ、厚さが肉厚部より薄い肉薄部は、肉厚部に接続され、刃先は、肉厚部から離れた肉薄部の一方側縁に設置され、これにより段差式のナイフブレードを形成されていることを特徴とするナイフブレードの改良構造。
【請求項２】
上記請求項１に記載のナイフブレードの改良構造において、肉厚部と肉薄部の接続箇所は内凹部を形成されているもの。
【請求項３】
上記請求項１に記載のナイフブレードの改良構造において、肉厚部の厚さは約０．１ミリで、肉薄部の厚さは約０．０３〜０．０５ミリのもの。
【請求項４】
上記請求項１に記載のナイフブレードの改良構造において、刃先の角度が約２２度のもの。
【請求項５】
上記請求項１に記載のナイフブレードの改良構造において、刃先表面と肉薄部表面に異なる文様の研磨処理が施されているもの。
【考案の詳細な説明】
【０００１】
【考案の属する技術分野】
本考案は、ナイフブレードの改良構造を提案し、特に段差式のナイフブレードであり、産業的な価値を有するものである。
【０００２】
【従来の技術】
従来のタングステン鋼ナイフブレードは、積層コンデンサ、インダクタンス、ビーズなどの受動部品の切削に応用されている。図３の示すとおり、従来のタングステン鋼ナイフブレード２０は刃先２３を有し、両側面２１、２２は平面状であり、その厚さは０．１ミリである。受動部品の技術動向はますます小さくなり、タングステン鋼ナイフブレードの厚さは縮小せねばならない。したがって、平面型タングステン鋼ナイフブレード２０は受動部品を切削する際に下記の問題を引き起こす。まず、ナイフブレードの受ける応力が強く、破断しやすく、使用寿命が短く、経済的でない。また、ナイフブレードの交換の際、時間がかかり、ナイフブレードの破断が受動部品に破損を与え、廃物になってしまうほか、さらに従業員に傷つけてしまう。次に、切削時に生じる排除効果。そして、切削時に生じる廃棄物は排出できず、へばり付く現象が生じ、受動部品の切断面の質に影響する。
【０００３】
【考案が解決しようとする課題】
本考案は、ナイフブレードの改良構造を提案しており、肉厚部、肉薄部および刃先を設けられ、厚さが肉厚部より薄い肉薄部は、肉厚部に接続され、刃先は、肉厚部から離れた肉薄部の一方側縁に設けられ、これにより段差式のナイフブレードを形成されているもの。
【０００４】
【課題を解決するための手段】
本考案は、ナイフブレードの改良構造を提案し、特に段差式のナイフブレードであり、この段差式構造は切断の際、排除効果を低減させ、ホルダーに一定の厚さを保持することで、現有の保持装置の交換を必要としておらず、経済ニーズに合わせ、その肉厚部と肉薄部の接続箇所に内部の窪み設計を施すことで、応力の起こす破断を減少させ、ナイフの寿命が長くなり、刃先表面と肉薄部表面に異なる文様の研磨処理を施し、へばりつき現象を回避し、切れ味と品質を向上させている。
【０００５】
【考案の実施の形態】
以下、本考案の実施の形態を図示例と共に説明する。本考案は、ナイフブレードの改良構造を提案し、ナイフの保持装置に保持される肉厚部１１、肉厚部１１に接続し、肉厚部１１との接続箇所で内凹部１４を形成する肉薄部１２、および肉厚部１１から離れた肉薄部１２の一方側縁に設けられる刃先１３を形成されていることを特徴とするナイフブレード１０である。
【０００６】
【実施例】
以下、本考案の実施例について説明し、図１と図２を参照して下さい。
肉薄部１２の厚さは肉厚部１１より薄く、長さＬは１５０ミリとし、幅さＷは２２．５ミリであり、ナイフブレード１０にとって、肉厚部１１の厚さは約０．１ミリありで、肉薄部１２の厚さは約０．０３〜０．０５ミリである。刃先１３の角度は約２２度であり、肉薄部１２は刃先１３の幅さに合わせ、Ｗ１は約２ミリである。内凹部１４の偏角は、肉厚部１１が肉薄部１２に対応する厚さによって定めるものとする。刃先１３の表面は肉薄部１２の表面と異なる文様の研磨処理を施し、これによって段差式ナイフブレード１０を形成する。
説明せねばならないのは、本考案が刃先１３で受動部品を切削し、肉薄部１２が刃先１３の幅さＷ１に合わせ、十分に切削された受動部品から離れ、このため肉薄部１２と肉厚部１１との落差Ｄは切削に影響しない。
以上説明した実施例および図式は、あくまでも便宜上の一手法として採用するものである。すべて本考案の構造、装置、特徴などに類似するものは、本考案の実用新案登録の範囲である。また、実施例のみに限定するものでは決してなく、他の一切の利用範囲もその中にふくめている事を重ねて申し上げておきます。
【０００７】
【考案の効果】
本考案は段差式のナイフブレード１０であり、以下の長所を備えている。この段差式構造は切削の際、排除効果を低減させ、肉厚部１１は一定の厚さを保持することで、現有の保持装置を更新する必要がなく、経済ニーズに合わせ、その肉厚部１１と肉薄部１２の接続箇所に内凹部１４の設計を備え、応力の起こす破断を回避し、ナイフブレード１０の寿命が長くなり、刃先表面と肉薄部表面に異なる文様の研磨処理を施し、へばりつき現象を回避し、切れ味と品質を向上させている。
【図面の簡単な説明】
【図１】本考案を示した平面図である。
【図２】図１のＡ−Ａ面を示した拡大図である。
【図３】タングステン鋼ナイフブレードを示した断面図である。
【符号の説明】
１０　ナイフブレード
１１　肉厚部
１２　肉薄部
１３　刃先
１４　内凹部
２０　従来のタングステン鋼ナイフブレード
２１　側面
２２　側面
２３　刃先
Ｄ　落差
Ｌ　長さ
Ｗ　幅さ
Ｗ１　幅さ
【図１】
0003097429.tif 000003
【図２】
0003097429.tif 000004
【図３】
0003097429.tif 000005
(57)【要約】【課題】病人が寝ているところに、液体をこぼさず、スムーズに飲ませることは難しいことである。病人も口先に液体を入れられてこぼさず飲むことはやはり難しいことである。その課題を解決するのが目的である。【解決手段】口の中に入れる方の先のゴムチューブ（２）に複数の穴（３）をあけ、ゴムチューブ（２）を湯のみ器（１）に取りつける。ゴムチューブ（２）を口の喉元奥まで入れて飲ませることによって、こぼさず飲ませることができる。さらに複数の穴（３）をあけることによって、喉中の口中に触れていない穴から液体をスムーズに入れることができる。【選択図】　図１
0003097423.tif 000002
【実用新案登録請求の範囲】
【請求項１】
湯のみ器（１）の飲み口にゴムチューブ（２）を取りつけた湯の
み器
【請求項２】
口の中に入れる方の先は、複数の穴（３）をあけたゴムチューブ
（２）
【考案の詳細な説明】
この考案は、口の中に入れる方の先に複数の穴（３）をあけたゴムチューブ（２）を、湯のみ器（１）に取りつけたものである。従来は、病人などに液体を与えるときは、唇の所に湯のみ器の飲み口の先をあてて、口先に液体を入れた後、病人本人に飲み込んでもらうしかなく、こぼれる事も多かった。本案は、その欠点を補うために考案されたもので、それを図面について説明すれば、ゴムチューブ（２）の口の中に入れる方の先は複数の穴（３）をあける。そのゴムチューブ（２）を湯のみ器（１）に取りつける。本案はこのような構成であるから、口中の喉元奥までゴムチューブ（２）を入れ、液体をこぼさず入れることができる。又、ゴムチューブ（２）の先に複数の穴（３）があいているから、喉などの口中に触れていないどこかの穴からスムーズに液体を飲ませることができる。
【図面の簡単な説明】
【図１】本案の斜視図
【符号の説明】
１　湯のみ器
２　ゴムチューブ
３　複数の穴
【図１】
0003097423.tif 000003
(57)【要約】　　　（修正有）【課題】美しくしわが発現し、吊金具の取付けを容易にする。【解決手段】カーテンを波状にプリーツ加工し、その上部に吊金具を取付けて、カーテンレールに吊るすようにする。【選択図】　図１
0003097421.tif 000002
【実用新案登録請求の範囲】
【請求項１】
波状にプリーツ加工したカーテンの上部に、引掛け金具を
取り付けたカーテン
【考案の詳細な説明】
【０００１】
【産業上の利用分野】従来のカーテン（５）は、吊るすために上部の所定の個所（図２）にひだ加工（４）を施して、そこに吊り金具を付けて吊るしていた。そのために吊り金具の部分にしわが発生し、
美感を損ねた。又、加工にしても多くの時間を必要とした。
【０００２】
【本考案が解決しようとする課題】カーテンを吊るした時、きれいな状態を保つと共にカーテンを吊るす金具を取り付けることを容易にすることにより、加工工数を少なくすることを目的として考案した
ものである。
【０００３】
【課題を解決するための手段】本考案者は上記のような現状に鑑み鋭意検討した結果、図１が示すようにカーテン（２）を波状にプリーツ加工した。その上部（１）に取り付金具を付けて、カーテンレー
ル（３）に吊るすようにしたものである。
【図面の簡単な説明】
【図１】本考案の波状にプリーツ加工し、吊るした状態を上部から見た図。
【図２】従来のカーテンの吊金具の取り付け部を上から見た図
【符号の説明】
（１）本考案の吊金具の位置を示す
（２）本考案のプリーツ加工したカーテン
（３）カーテンレール
（４）従来のカーテンの吊金具用にひだ加工された部分
（５）従来のカーテン
【図１】
0003097421.tif 000003
【図２】
0003097421.tif 000004
(57)【要約】【課題】工作機械の仕様上のストローク寸法を越える長さの加工を可能にする為の考案【解決方法】テーブル、もしくはサドルのストロークと同方向への微速度送り機構を具備した本考案のバイスを使用し、ストロークと同方向に微速度で送りながら、加工することにより、目的を達する事が出来る。【選択図】図２
0003097422.tif 000002
【実用新案登録請求の範囲】
【請求項１】
工作機械の仕様上のストロークを越える長さの加工を可能にする微速度送り機構を具備する精密バイス
【考案の詳細な説明】
【０００１】
【考案の属する技術分野】
本来、工作機械による加工は、Ｘ・Ｙ・Ｚ軸の３方向とも、仕様書に記載されている固有のストロークを超える加工は不可能である。しかし、実際の作業者にとって、あとほんの少しストロークを延長出来れば・・・と思うことはしばしばである。本考案は、そのような場合に対応するべく考えられたものである。
【０００２】
【従来の技術】
従来、仕様上のストロークよりも長い寸法の加工を行うには、更に大型の工作機械を導入するか、もしくは他への外注に頼るしか方法がなかったが、何れにしても、夛大の費用を必要とするし、納期の制約に対応出来ない場合が多い。そこで、被加工物を所定のストロークの範囲内で、出来るだけの加工を行い、被加工物を振り替えて逆方向から残った部分を再加工するという方法をとる。しかし、この方法では、被加工物をいったんバイスから取り外して、くわえ直す必要があるので、加工のつなぎ目附近に段差が出来るのを避けられず、従って、高精度の加工にはとうてい耐えられないという、いわば工作機械としては致命的な欠陥があった。
【０００３】
【考案の実施の形態】
本考案の実施状態を図面に従って詳述する。
【図１】本考案の微速度送り機構▲１▼とバイス▲２▼（図では３連）である。バイスのハンドル▲３▼に連結するスクリューネジ▲４▼によってクランプ▲５▼が被加工物（ワーク）をしっかり固定する。バイスは、スライドウェイ▲６▼にリードされて、正確な平行度を保ちながら、送りネジ▲７▼と低速ギャドモーター▲８▼により駆動され、スライドウェイ上を移動する。▲９▼は全体を工作機械のテーブルに固定するためのボルト穴である。
【図２】本考案による微速度送り機構を具備するバイスを、典型的な平削り型工作機械（フライス盤・平面研削盤等）に取り付けた状態を示す。
ベース▲１０▼の上に乗ったサドル▲１１▼は前後方向、テーブル▲１２▼は左右方向、コラム▲１３▼は回転する加工用刃物▲１４▼を上下方向に移動する各機能を備えている。説明を簡略にするために、テーブル▲１２▼の上に固定されている本考案の微速度送り機構を具備したバイス▲１５▼によるＹ軸方向への被加工物▲１６▼の動きについてのみ説明する。
加工を始める直前にはテーブル▲１２▼はベース▲１０▼に対して最も右端に移動する。従って被加工物▲１６▼も最も右端に位置する。
次に、テーブルの左方向に向かってのストロークが開始され、被加工物▲１６▼はコラム前面で回転する刃物▲１４▼により、時間に従って加工（研・切削）が進行する。
加工ストロークの終了後には、テーブル▲１２▼はベース▲１０▼の最も左端に移動し、被加工物▲１６▼も最も左端にストロークされて停止する。この時テーブル▲１２▼は、この機械の仕様上のストロークいっぱいにＡ→Ａ’の距離だけ移動し、同時に被加工物▲１６▼はＢ→Ｂ’の距離を移動したことになる。
【０００４】
【本考案の効果】
このことから、被加工物▲１６▼は、仕様上のストロークよりもＣ→Ｃ’分だけ長い寸法の加工を行なったことになる。この場合、被加工物▲１６▼はバイスから取り外されることも、左右の向きを振り替えられることもないため、寸法誤差が生じることはない。
また、本考案の考え方は、サドル▲１１▼によるＸ軸方向（前後）への加工に対してもそのまま応用出来ることは勿論である。
【図面の簡単な説明】
【図１】本考案の斜視図である
符号の説明
１．微速度送り機構
２．精密バイス
３．ハンドル
４．スクリューネジ
５．クランプ
６．スライドウェイ
７．送りネジ
８．ギャドモーター
９．ボルト穴
【図２】本考案の実施図（正面図）である
１０．ベース
１１．サドル
１２．テーブル
１３．コラム
１４．加工用刃物
１５．微速度送り機構
１６．被加工物（ワーク）
同方向への微速度送り機構を具備した本考案のバイスを使用し、ストロークと同方向に微速度で送りながら、加工することにより、目的を達することが出来る。
【図１】
0003097422.tif 000003
【図２】
0003097422.tif 000004
(57)【要約】【課題】十分な保水量および肥料保有量を可能としかつ十分な根成長領域を有する土壌量を可能とするプランターポットの提供。【解決手段】この課題は、底板部よりも開口部が小さい上窄まり四角柱状プランターポットによって解決される。【選択図】　　　　図１
0003097408.tif 000002
【実用新案登録請求の範囲】
【請求項１】
底板部よりも開口部が小さい上窄まり四角柱状プランターポット。
【考案の詳細な説明】
【０００１】
【考案の属する技術分野】
本考案は、植物の根の生育に有利な構造を有する上窄まり四角柱状プランターポットに関する。
【０００２】
【従来の技術】
従来、プランターポットは下窄まりの円筒状または多角形状、特に円筒状、四角形状、五角形状または六角形状を有している。
【０００３】
植物の根の成長には、十分な保水量および肥料保有量を可能としそして植物の根の十分な成長領域を与える土壌が必要とされるにも係わらず、従来のこれらの形状のプランターポットでは保水量および肥料保有量および根の成長領域を十分とするには不十分な土壌量しか入れることができない構造であった。そのために、給水および給肥の頻度が多かったり、植物の成長に伴い更に大きなプランターポットへの植え替えが必要となったりして、問題があった。
【０００４】
【考案が解決しようとする課題】
本考案の課題は、十分な保水量および肥料保有量を可能としかつ十分な根成長領域を有する土壌量を可能とするプランターポットを提供することである。
【０００５】
【課題を解決するための手段】
本考案者は鋭意研究した結果、底板部よりも開口部が小さい上窄まり四角柱状プランターポットによってこの課題が解決されることを見いだした。
【０００６】
本考案のプランターポットの材質は、プラスチック、木材、陶器、紙または不織布でもよい。
【０００７】
本考案のプランターポットの材質がプラスチクである場合には、一体成型されたものでもよいが、壁部と底部を別々に成型して、接着または留め具、例えばビス等で一体化してもよい。更には、壁部の底部近傍に底板差し込みスリットを設けかつ差し込みスリットと反対側の壁部にまたは側壁に固定手段、例えば支持部を設けることによっても、一体化されたプランターポットを形成することができる。底板は正面壁のスリットから背壁に設けられたスリットに差し通してもよい。
【０００８】
本考案のプランターポットが木製である場合には、四枚の壁材と底板とを釘、ピン等および／または接着剤で固定することにより一体化することができる。
【０００９】
本考案のプランターポットが陶器製である場合には、例えば、相対峙する２枚の壁の底部近傍に穴を設けて、その穴に固定用棒状物を通して一体化させることができる。固体用棒状物は少なくとも１つ以上の固定手段、例えばねじ止め等によって固定する必要がある。
【００１０】
本考案のプランターポットが紙製である場合には、壁部を折り線に沿って上窄まりの四角柱状に折りかつ接合して形成し、これに底板を接着または留め具で固定して一体化するかまたは底部より大きな紙を上に折り曲げて側壁の内側および／または外側に接着またはビス、ピンにて固定することができる。更には、１つの側壁に連結された底板をその底板に延設された接着片により他の１〜３つの壁板に接着またはビス、ピンにて固定することができる。ここで使用される紙は硬質繊維ボードであるのが有利であり、その厚みは０．８〜４ｍｍ、好ましくは１〜３ｍｍ、特に好ましくは１〜２．５ｍｍ程度であるのが好ましい。かゝるボードは厚いために、折り線をミシン目線穴で折り曲げ易くするのが好ましい。
【００１１】
本考案のプランターポットが不織布でできている場合にも、紙製の場合と同様な処理によって製品化できる。ただしこの場合には、接合手段は接着ではなく、ビス、ピン、ホッチキスの針等を選択する。
【００１２】
本考案のプランターポットは外側側面に塗装または貼りものにより審美性を出すこともできる。
【００１３】
本考案のプランターポットを図面を用いて以下に更に詳細に説明するが、本考案は図示された実施態様に制限されるものではない。
【００１４】
図１は本考案の一つの実施態様を示す上窄まりの紙製の四角柱状プランターポットの透視図である。
【００１５】
図２は本考案の一つの実施態様である上窄まりプラスチック製四角柱状プランターポットの透視図である。
【００１６】
図１において、背壁（１）、正面壁（１’）、２つの側壁（１”）および底板（２）は一枚の紙からミシン目穴線に沿って折り曲げることによって形成されており、正面壁（１’）が一つの側壁（１”）の谷折り線を介して延設された接着片（４）と、正面壁（１’）の内側で接合されている。底板（２）の谷折り線を介して延設された３つの接着片（３）は正面壁（１’）および２つの側壁（１”）の内側で各壁に接合されている。底板には排水孔（９）が設けられている。
【００１７】
図２において、背壁（１）、正面壁（１’）および２つの側壁（１”）はプラスチック、例えばポリプロピレン、ポリエチレン、ポリアクリレート、ポリ塩化ビニル等で一体成型されており、背壁（１）および正面壁（１’）の広がった開口部の近傍に、底板（６）を差し込むことができるスリット（５）が設けられている。底板を正面壁（１’）のスリット（５）から差し込んだ背壁（１）に通し、その後に側壁（１”）に設けられたビス穴（７）から底板（６）の側面に設けられた穴（８）にビスがねじ込まれる。底板には排水孔（９）が設けられている。
【００１８】
【発明の効果】
この様に構成された本発明のプランターポットは、下部が大きいために植物の根の成長に十分な量の土壌を入れることができるために、十分な保水量および肥料保有量を可能としかつ十分な根成長領域を提供する。
【図面の簡単な説明】
【図１】図１は上窄まりの紙製の四角柱状プランターポットの透視図である。
【図２】図２は上窄まりプラスチック製四角柱状プランターポットの透視図である。
【符号の説明】
１・・・　背壁
１’・・・正面壁
１”・・・側壁
２・・・　底板
３・・・　接着片
４・・・　接着片
５・・・　スリット
６・・・　底板
７、８・・・ビス穴
９・・・　排水穴
【図１】
0003097408.tif 000003
【図２】
0003097408.tif 000004
(57)【要約】【課題】傘をさして暗夜を歩行するとき、使用者の視界を遮らずドライバーから認識し易くして事故を防止できる傘を提供する。【解決手段】手元１１と中棒１５と石突１２と傘骨１４を中棒１５に収斂して連結するロクロ１７と傘骨１４と露先１３と透明・半透明の生布１６とからなる傘１０において、上記構成部材の少なくとも一つに蛍光発光処理を施したもので、上記手元１１、石突１２、露先１３の少なくとも一つを、蓄光タイプの蛍光顔料を混練りした樹脂組成物で成形し、上記中棒１５、傘骨１４の少なくとも一つの表面に、蓄光タイプの蛍光顔料を混練りした樹脂組成物をコーティングし、上記生布１６として、蓄光タイプの蛍光顔料を混練りした樹脂組成物を素材とする。【選択図】　図１
0003097410.tif 000002
【実用新案登録請求の範囲】
【請求項１】
手元と中棒と石突と傘骨を中棒に収斂して連結するロクロと傘骨と露先と透明・半透明の生布とからなる傘において、上記構成部材の少なくとも一つが蛍光発光するものであることを特徴とする傘。
【請求項２】
上記手元、石突、露先の少なくとも一つを、蓄光タイプの蛍光顔料を混練りした樹脂組成物により成形したことを特徴とする請求項１に記載の傘。
【請求項３】
上記中棒、傘骨の少なくとも一つの表面に、蓄光タイプの蛍光顔料を混練りした樹脂組成物をコーティングしたことを特徴とする請求項１に記載の傘。
【請求項４】
上記生布として、蓄光タイプの蛍光顔料を混練りした樹脂組成物を素材とするフィルムを採用したことを特徴とする請求項１に記載の傘。
【考案の詳細な説明】
【０００１】
【考案の属する技術分野】
この考案は、傘の一部分または全体に蛍光発光処理を施して、暗夜歩行における安全を確保する傘に関する。
【０００２】
【従来の技術】
一般的な傘は、手元と中棒と傘骨と傘骨を中棒収斂して連結するロクロと石突と露先と傘骨に張られる生布とからなっている。
【０００３】
【考案が解決しようとする課題】
上記一般的に傘を暗夜で使用して歩行するときは、歩行者自身の視界が遮られるだけでなく、他のものからは、その存在が分かり難く歩行者同士が突き当たったり、自転車や単車と衝突したり、自動車に跳ねられる危険がある。
【０００４】
上記問題に鑑みこの考案は、傘をさして暗夜を歩行するとき、使用者自身の視界が遮られることなく、走行する単車や自動車から認識し易くして人身事故の発生を防止できる傘を提供することを課題とする。
【０００５】
【課題を解決するための手段】
上記課題を解決するためにこの考案は、手元と中棒と石突と傘骨を中棒に収斂して連結するロクロと傘骨と露先と透明・半透明の生布とからなる傘において、上記構成部材の少なくとも一つが蛍光発光する（請求項１）ものであり、上記手元、石突、露先の少なくとも一つを、蓄光タイプの蛍光顔料を混練りした樹脂組成物により成形し（請求項２）、上記中棒、傘骨の少なくとも一つの表面に、蓄光タイプの蛍光顔料を混練りした樹脂組成物をコーティングし（請求項３）、上記生布として、蓄光タイプの蛍光顔料を混練りした樹脂組成物を素材とするフィルムを採用したものである。
【０００６】
上記の如く構成するこの考案によれば傘の部材のいずれかが蛍光発光するので、自動車や単車のドライバーに早くその存在を認識させて人身事故を防止することができる。
【０００７】
【考案の実施の形態】
次にこの考案の実施の形態を、図面を参照しながら説明する。傘１０の手元１１、石突１２あるいは露先１３は、蓄光タイプの蛍光発光顔料を配合した樹脂組成物を材料として成形加工したものを採用する。
【０００８】
また、傘骨１４や中棒１５についてはその表面に、蓄光タイプの蛍光発光顔料を配合した樹脂塗料でコーティングしたものを採用し、傘骨１４に張る生布１６は、蓄光タイプの蛍光発光顔料を配合した樹脂組成物を素材とするフィルムを採用する。
【０００９】
上記蓄光タイプの蛍光発光顔料は、無機系、有機系のいずれでもよく、一般に市販されているものからベースポリマーによく分散するものを採用する。
【００１０】
上記蛍光発光処理は、一つの部材、例えば生布、または石突だけでもよく、複数の部材、例えば石突と露先にするのもよく、全てを処理してもよい。
【００１１】
上記の如く構成するこの考案の傘は、生布が透明または半透明であるから、使用者の視界を遮るのを最小限にとどめ、他人からは蓄光タイプの蛍光発光顔料により、その存在を認識し易くなり、衝突などの事故を防止することができる。
【００１２】
【考案の効果】
以上説明したようにこの考案によれば、生布が透明・半透明となっているので使用者の視界を遮るのを最小限にとどめ、傘の部分または全体から蛍光発光することにより自転車・オートバイ・自動車などのドライバーからは、その存在を早く認識することができて衝突などの事故を未然に防止することができる。
【図面の簡単な説明】
【図１】この考案に係る傘を広げたときの斜視図
【図２】同傘を窄めたときの斜視図
【符号の説明】
１０　傘
１１　手元
１２　石突
１３　露先
１４　傘骨
１５　中棒
１６　生布
１７　ロクロ
【図１】
0003097410.tif 000003
【図２】
0003097410.tif 000004
(57)【要約】　　　（修正有）【課題】コンピュータのプレゼンテーションなどをするとき，コンピュータから離れて，マウスの操作をするためにはどうしたらよいか。【解決手段】マウス本体に差込ジャック受を備え，手持ち用スイッチを作成し，延長コードでつなぎ，それを差し込めば，コンピュータから離れた場所でも操作することができる。マウス３にスイッチ用ジャック受４を作り，そこへマウス用スイッチ７にスイッチ用コード６から，スイッチ用差込ジャック５を接続すれば，コンピュータから離れた場所でもコンピュータを操作することができる。【選択図】　　図１
0003097495.tif 000002
【実用新案登録請求の範囲】
【考案の詳細な説明】
【０００１】
【考案の属する技術分野】コンピュータに使われるマウス用のスイッチである。特にマウスの左クリックを手持ちのスイッチにしたものである。
【０００２】
【従来の技術】従来コンピュータでプレゼンテーションなどをするとき，マウスの左クリックをするのに，話ながらすると，マウスのクリックをすると動いてしまって，うまくいかなかった。
【０００３】
【考案が解決しようとする課題】相手を見，話しながらコンピュータのプレゼンテーションなどをするとき，マウスの左クリックを簡単にできるもの。
【０００４】
【課題を解決するための手段】マウス本体にスイッチ用差込受ジャックを備え，手持ちのマウス用スイッチを作成し，スイッチ用コードでつなぎ，スイッチ用差込ジャックをマウスに差し込めば，コンピュータから離れていても操作ができる。
【０００５】
【考案の実施の形態】マウス用スイッチは，マウスの左クリックの感覚で，コンピュータを操作できる。また，マウス用スイッチは，取り外しが簡単にでき，使うとき，いつでも取り付けることができる。
【０００６】
【実施例】例えば，コンピュータで使われているプレゼンテーションである「パワーポイント」では，プレゼンテーションの実行をすると，次の画面を出そうとするとき，マウスの左クリックまたはエンターキーを押す。その操作をこのマウス用スイッチが代替えして有効活用される。
【０００７】
【考案の効果】このマウス用スイッチを使うと，コンピュータから離れていても，簡単にプレゼンテーションなどの操作が簡単にでき，相手を見，話しながらでも誤ることなく，スイッチを押すだけで操作することができる。
【０００８】
【図面の簡単な説明】
0003097495.tif 000003
【図１】
0003097495.tif 000004
【手続補正書】
【提出日】平成15年5月24日(2003.5.24)
【手続補正１】
【補正対象書類名】明細書
【補正対象項目名】実用新案登録請求の範囲
【補正方法】変更
【補正の内容】
【実用新案登録請求の範囲】
【請求項１】
マウス本体（３）にスイッチ用差込受ジャック（４）を取り付け，さらにスイッチ用差込ジャック（５）とスイッチ用コード（６）をつなぎ，遠隔操作できるようにマウス用スイッチ。
【手続補正書】
【提出日】平成15年1月19日(2003.1.19)
【手続補正１】
【補正対象書類名】明細書
【補正対象項目名】実用新案登録請求の範囲
【補正方法】追加
【補正の内容】
【実用新案登録請求の範囲】
【請求項１】
マウス本体（３）にスイッチ用差込受ジャック（４）を取り付けた。さらにスイッチ用差込ジャック（５）とスイッチ用コード（６）をつなぎ，遠隔操作できるようにマウス用スイッチ（７）を取り付けてある。
【手続補正２】
【補正対象書類名】明細書
【補正対象項目名】図面の簡単な説明
【補正方法】変更
【補正の内容】
【図面の簡単な説明】
【図１】マウス本体（３）にスイッチ用差込受ジャック（４）を取り付けた。スイッチ用差込受ジャック（４）は，マウスのクリックを遠隔操作できるために作ってある。また，必要に応じ，取り外しが簡単にできるようにするためでもある。さらにそこに差し込めるようにスイッチ用差込ジャック（５）にスイッチ用コード（６）をつなぎ，マウス用スイッチ（７）を取り付けて，遠隔操作ができるようにした。
【符号の説明】
１：コンピュータ（コンピュータ本体）
２：マウス用コード（マウス本体とコンピュータをつなぐコード）
３：マウス本体
４：スイッチ用差込受ジャック（マウス本体にスイッチ用差込ジャックを接続できるように付けた受けジャック）
５：スイッチ用差込ジャック（スイッチ用差込受ジャックに接続できるような差込プラグ）
６：スイッチ用コード（スイッチ用差込ジャックと手持ち用に作成したマウス用スイッチをつなぐためのコード）
７：マウス用スイッチ（マウスを遠隔操作するために作ったマウス用スイッチ）
(57)【要約】　　　（修正有）【課題】手軽に手早く頭皮のケアができ、容易にシャンプーができない病中、病後、スポーツの後、飛行機内、車内等で一時的に爽快感を味わえ且つ抜け毛予防になり、頭皮の清潔を保てるくし型あぶらとり紙を提供する。【解決手段】厚紙に粘着材で、皮脂を良く吸収する紙を巻きつけてはり、くし型にカットした。【選択図】　図３
0003097493.tif 000002
【実用新案登録請求の範囲】
【請求項１】
紙でくしを作り頭皮の脂や汚れを簡単に除去する
【考案の詳細な説明】
【０００１】
【考案の属する技術分野】
プラスチックが主流であるくしをリサイクル可能な紙で作り、頭皮の脂や汚れを除去するもの
【０００２】
【従来の技術】
頭皮用も顔用と同じ正方形状のものであり、手軽に頭皮のケアをする事が出来ない
【０００３】
【考案が解決しようとする課題】
髪をかき分け頭皮にいたるまで手間が掛かる割に、あまり結果を見る事が出来ませんでした。本考案は、顔用と同様、簡単に手早く使用でき、結果に満足できるようにしたものである
【０００４】
【課題を解決するための手段】
丈夫な紙にあぶらとり紙を巻き、くし型にする事で問題点を解決している。
【０００５】
【考案の実施の形態】
厚紙に皮脂を良く吸収する紙を肌に当たる部分を強化し吸収力を高める為巻く様にし刺激性の無い粘着剤で張り合わせ、くし型にする。頭皮に直接当たらない部分には香料を含ませれば清涼感も増し気分転換も図れる
【０００６】
【実施例】
２のあぶらとり紙を１の厚紙に３の先端を巻き込む形で貼り付け、くしの型で抜くと紙製くしとなる。少し傾けた形で頭部に沿う様に使用すれば、なお良い
全長約６０ｍｍ、厚み約１〜２ｍｍ、３の接肌部及び４の空き部分は約２〜３ｍｍとする
【０００７】
【考案の効果】
時間や場所を選ばず簡単に手早く使用でき、高い効果を得られる事により、不快感を緩和する事が出来る。また、重ねる紙の種類を香料の入った物であるとか、ぬれた物、薬効等応用でき、リフレッシュする事が出来る。尚、紙なのでリサイクル出来る
【図面の簡単な説明】
【図１】くし型あぶらとり紙の正面図である
【図２】くし型あぶらとり紙の断面図である
【図３】くし型あぶらとり紙の展開図である
【符号の説明】
１　　　厚紙
２　　　あぶらとり紙
３　　　接肌部
４　　　空き部分
【図１】
0003097493.tif 000003
【図２】
0003097493.tif 000004
【図３】
0003097493.tif 000005
【手続補正書】
【提出日】平成15年5月29日(2003.5.29)
【手続補正１】
【補正対象書類名】明細書
【補正対象項目名】実用新案登録請求の範囲
【補正方法】変更
【補正の内容】
【実用新案登録請求の範囲】
【請求項１】
厚紙に粘着剤で、皮脂を良く吸収する紙を巻きつけてはりくし型にカットした、くし型あぶらとり紙。
【手続補正２】
【補正対象書類名】明細書
【補正対象項目名】図面の簡単な説明
【補正方法】変更
【補正の内容】
【図面の簡単な説明】
【図３】くし型あぶらとり紙の構造図である


【手続補正３】
【補正対象書類名】図面
【補正対象項目名】図３
【補正方法】変更
【補正の内容】
【図３】
0003097493.tif 000006
(57)【要約】【課題】アウトドアやサーフィンに行く際、現地に着くまでに冷めてしまう容器の水を適温のまま保持する装置を提供する。【解決手段】本考案は水を入れた容器の中に車のシガーソケットから電源をとる発熱体を入れて容器の水をアウトドアやサーフィンに行く際、現地まで適温に保持することができる。【選択図】　　図１
0003097499.tif 000002
【実用新案登録請求の範囲】
【請求項１】
水を入れた容器の中に車のシガーソケットから電源をとる発熱体を入れて容器の水をアウトドアやサーフィンなどに行く際、現地まで適温に保持する事を特徴とする加熱保温装置。
【考案の詳細な説明】
【０００１】
【考案の属する技術分野】本考案は車のシガーソケットから電源をとる発熱体により容器の水を適温に保持する加熱保温装置に関するものである。
【０００２】
【従来の技術】従来はその様な商品が無くシガーソケットは主としてタバコの火をつける為に使用していた。
【０００３】
【考案が解決しようとする課題】その為せっかくの発熱体の電源を有効活用していなかった。本考案は熱源を有効に活用する加熱保温装置を提供する。
【０００４】
【課題を解決するための手段】水を入れた容器の中に車のシガーソケットから電源をとる発熱体を入れて容器の水をアウトドアやサーフィンなどに行く際、現地まで適温に保持する事が出来る。
【０００５】
【実施例】以下添付図面に従がって実施例を説明する。
１はシガーソケットのプラグ。２はシガーソケットを電源とする発熱体。
３は発熱体２を入れる密封容器。４はコードである。５は水。
６は容器である。
容器の水を加熱保温する際は、１のプラグを車のシガーソケットに差し込み６の容器内の水５に３により密封された発熱体２を入れて容器の水を現地まで適温に保持する事が出来る。
【０００６】
【考案の効果】アウトドアやサーフィンなどに行った際、容器の水を適温のまま保持して、現地で使用する事が出来る。
【図面の簡単な説明】実施例の保温装置の構成図である。
【図１】
0003097499.tif 000003
【手続補正書】
【提出日】平成15年4月9日(2003.4.9)
【手続補正１】
【補正対象書類名】明細書
【補正対象項目名】実用新案登録請求の範囲
【補正方法】変更
【補正の内容】
【実用新案登録請求の範囲】
【請求項１】
水を入れた容器と、その中に入れて水を適温に保持する車のシガーソケットの発熱体とよりなる容器の水の加熱保温装置。
(57)【要約】　　　（修正有）【課題】従来のカートは買い物籠落下防止柵が四方にあり、買い物籠一杯の重さは相当な重量になり、会計時には落下防止柵の上まで買い物籠を持ち上げ会計台に移乗しなければならなかった。本考案は持ち上げる労力を省き非力な人でも楽に会計を済ませることが出来るショッピングカートを提供する。【解決手段】カートの左右側面の落下防止柵を開放し、前後面１，２のみにし買い物籠７とカートの接面に左右に回転するローラー棒３を設け、左右どちらの会計台９にも買い物籠の側面７を押し滑らせれば簡単に会計台９に移乗する。買い物中には後面防止柵にフック６を取り付け、取手６’の上下の操作により買い物籠を固定し落下を防止することの出来る大型店舗内のショッピングカート。【選択図】　　図１
0003097496.tif 000002
【実用新案登録請求の範囲】
【請求項１】
大型店舗内のショッピングカートの買い物籠落下防止柵の両側面を開放し、買い物籠をすべらせながら会計台に移乗させるショッピングカート。
【考案の詳細な説明】
【０００１】
本考案は、大型店舗内のショッピングカートの両側面の買い物籠の落下防止柵を取り外し、左右どちらの会計台にも買い物籠を側面より押し滑らせながら移台出来ることを特徴とした。
【０００２】
従来大型店舗内のショッピングカートを使う時、カートに買い物籠（７）を乗せ沢山の品物を購入し会計台（９）に重い買い物籠（７）をカートの四方囲まれた買い物籠（７）落下防止柵の上まで持ち上げ会計を済ませた。重い買い物籠（７）を持ち上げ会計台（９）に移すのは非力な人では苦であり、買い物の量を控えることがあった。
【０００３】
以上の問題点を解決する為に本考案はカートの四方に有する買い物籠（７）落下防止柵を、前後（１）（２）のみにし、カートと買い物籠（７）底部の接面に左右に回転するローラー棒（３）を設け、買い物籠（７）を側面より押し滑らせれば簡単に会計台（９）に移乗する。
【０００４】
買い物中は買い物籠（７）の落下防止の為カート後面柵（２）にフック（６）を取り付けフック取手（６’）を上下することにより買い物籠（７）を後面落下防止柵（２）に固定し落下を防止する。
【０００５】
会計台（９）上に重い買い物籠（７）を持ち上げる労力が省け多くの買い物ができ購買意欲も増し消費者、店舗側にも利益をもたらす。
【図面の簡単な説明】
【図１】ショッピングカートの平面図
【図２】ショッピングカートの左側面図
【図３】ショッピングカートより会計台へ買い物籠を移台する斜視図
【符号の説明】
（１）前面落下防止柵
（２）後面落下防止柵
（３）回転ローラー棒
（４）キャスター
（５）握り
（６）落下防止用フック
（６’）フック取手
（７）買い物籠
（８）カート底網
（９）会計台
（１０）買い物籠取手
【図１】
0003097496.tif 000003
【図２】
0003097496.tif 000004
【図３】
0003097496.tif 000005
【手続補正書】
【提出日】平成15年2月14日(2003.2.14)
【手続補正１】
【補正対象書類名】明細書
【補正対象項目名】実用新案登録請求の範囲
【補正方法】変更
【補正の内容】
【実用新案登録請求の範囲】
【請求項１】
大型店舗内のショッピングカートの買い物籠落下防止柵を、前面、後面のみとし、両側面を開放する。買い物籠を乗せるカートの台面は、底網と、滑動し易いローラー棒で、滑動面を枠組形成し、該、形成台面を前面、後面の落下防止柵との間に固着し、カートを構成する。移動中の買い物籠を固定する落下防止用フックを、後面落下防止柵に装着した大型店舗内のショッピングカート。
【手続補正２】
【補正対象書類名】明細書
【補正対象項目名】０００４
【補正方法】変更
【補正の内容】
【０００４】
以下この考案に係る大型店舗内のショッピングカートの実施例について図面に従い説明する。前面落下防止柵（１）は低く、後面落下防止柵（２）は高くと、上部の高低差をつけ、夫々柵の延長脚下には、キャスター（４）が装着されている。買い物籠（７）を乗せるカートの台面は、回転ローラー棒（３）と、底網（８）で滑動面を枠組形成し、該、形成された滑動台面を、前面落下防止柵（１）と、後面落下防止柵（２）との間に、会計台（９）上面より、やや高部位に平行に固着してカートを構成する。移動中の買い物籠（７）の落下防止用フック（６）を、後面落下防止柵（２）の上部に遊着する。落下防止用フック（６）の先端は内曲しているので、フック取手（６’）を押し上げると、落下防止用フック（６）の先端が、買い物籠（７）の上部格子状間隙を貫通し、後面落下防止柵（２）に押圧され固定する。会計時には、フック取手（６’）を押し下げ落下防止用フック（６）の固定を解除し、買い物籠（７）の側面を押すと、回転ローラー棒（３）の滑動により、買い物籠（７）は、会計台（９）上へ容易に移乗する。


【手続補正３】
【補正対象書類名】明細書
【補正対象項目名】図面の簡単な説明
【補正方法】変更
【補正の内容】
【図面の簡単な説明】
【図１】ショッピングカートより会計台へ買い物籠を移乗させる斜視図
【図２】ショッピングカートの平面図
【図３】ショッピングカートの左側面図
【符号の説明】
（１）　　　前面落下防止柵
（２）　　　後面落下防止柵
（３）　　　回転ローラー棒
（４）　　　キャスター
（５）　　　握り
（６）　　　落下防止用フック
（６’）　　フック取手
（７）　　　買い物籠
（８）　　　カート底網
（９）　　　会計台
（１０）　　買い物籠取手




【手続補正書】
【提出日】平成15年5月21日(2003.5.21)
【手続補正１】
【補正対象書類名】明細書
【補正対象項目名】実用新案登録請求の範囲
【補正方法】変更
【補正の内容】
【実用新案登録請求の範囲】
【請求項１】
大型店舗内のショッピングカートの買物籠を乗せるカートの台面を、ローラー棒と、底網で滑動面を枠組みし、更に、枠組みした滑動面の前後に、買い物籠落下防止柵を配置し、且つ、移動中の買い物籠の落下防止用のフックを、後落下防止柵に装着した大型店舗内のショッピングカート。